(57)【要約】【課題】ダクトの軽量性、強靭性、放熱性、耐腐食性を図ること。また、トロリーが安定的にスムースに走行すること。【解決手段】天井或いは壁面に固定的に設けられ、かつ、絶縁性の導体支持部材を内装するアルミニューム製ダクトと、このダクトの内部空間内に左右一対の走行車輪並びに左右一対の摺動車輪を介して設けられ、かつ、前記導体支持部材の複数個の導体にそれぞれ摺接する集電部材を備えたトロリーとから成る塗膜乾燥機用トロリー装置。【選択図】  図１
2005001526.tif 000002
【特許請求の範囲】
【請求項１】
天井或いは壁面に固定的に設けられ、かつ、絶縁性の導体支持部材を内装するアルミニューム製ダクトと、このダクトの内部空間内に左右一対の走行車輪並びに左右一対の摺動車輪を介して設けられ、かつ、前記導体支持部材の複数個の導体にそれぞれ摺接する集電部材を備えたトロリーとから成る塗膜乾燥機用トロリー装置。
【請求項２】
請求項１に於いて、アルミニューム製ダクトは、内部空間の下部左右にそれぞれ突出形成され、トロリーの左右一対の走行車輪並びに左右一対の摺動車輪をそれぞれ案内する断面ボックス状の案内レール部を有することを特徴とする塗膜乾燥機用トロリー装置。
【請求項３】
請求項１に於いて、トロリーは、左右の案内レール部の上面を滑動する少なくとも４個の走行車輪を軸支する台車本体と、この台車本体と塗膜乾燥機用取付け体との間に形成された左右の間隙部内にそれぞれ配設され、かつ、前記左右の案内レール部の対向側壁をそれぞれ滑動する少なくとも４個の摺動車輪を軸支する塗膜乾燥機用取付け体とから成ることを特徴とする塗膜乾燥機用トロリー装置。
【請求項４】
請求項１に於いて、アルミニューム製ダクトは、天井或いは壁面に固定的に設けられた吊板と、この吊板の係止支持部と係合する係合板部を上壁中央部に有すると共に、内部空間の上部左右にそれぞれ突出形成され、かつ、導体支持部材を支持する係合突条を対向側壁に有する断面ボックス状支持部とを有することを特徴とする塗膜乾燥機用トロリー装置。
【請求項５】
請求項１に於いて、塗膜乾燥機用取付け体に吊り下げられる塗膜乾燥機は、伸縮支柱と、この伸縮支柱の最下端部に回動自在に設けられ、かつ、整備工場に乗り入れた自動車の車体に近赤外線を放射する加熱カセットとからなることを特徴とする塗膜乾燥機用トロリー装置。
【請求項６】
内部空間の上部左右にそれぞれ突出形成され、かつ、絶縁性の導体支持部材を支持する断面ボックス状支持部と、これらの断面ボックス状支持部の下方にそれぞれ突出形成された断面ボックス状の案内レール部とを有するアルミニューム製の複数本の大略角筒状ダクトと、前記導体支持部の複数個の導体にそれぞれ摺接する集電部材を備え、かつ、前記左右の案内レール部の上壁面を走行する左右一対の走行車輪並びに左右の案内レール部の対向側壁を摺動する左右一対の摺動車輪とを有するトロリーと、前記複数本の突合せ同士のダクトを一体的に連結することができるように前記断面ボックス状支持部及び断面ボックス状の案内レール部にそれぞれ嵌入する複数本の連結棒とから成る塗膜乾燥機用トロリー装置。
【請求項７】
請求項６に於いて、塗膜乾燥の加熱カセットは、ハロゲンランプであることを特徴とする塗膜乾燥機用トロリー装置。
【発明の詳細な説明】
【０００１】
【発明の属する技術分野】
本発明は、塗膜乾燥機用トロリー装置に関し、特に自動車の整備工場に配備される塗膜乾燥機用トロリー装置に関する。
【０００２】
【従来の技術】
従来技術の開示義務として、特開平８−１８２９５７号を記載する。この公報の図７には、天井に塗装ブース用の角筒状ダクトを固定し、このダクトにトロリーが内装されている。そして、角筒状ダクトの下面に沿って給電部材としてのリボンケーブルを設け、該リボンケーブルは、トロリーに垂下された伸縮アームの下端部に設けられた加熱カセットの移動に追従することができるように配設されている。
【０００３】
ところで、車両の整備工場に配備される塗膜乾燥機用トロリー装置の技術分野では、外観上の問題、リボンケーブルの耐久性及びコスト面等から、給電部材について工夫することが要望されている。また、ダクトの軽量性、強靭性、放熱性、耐腐食性を図ることも要望されている。
【０００４】
【発明が解決しようとする課題】
本発明の第１の目的は、ダクトの軽量性、強靭性、放熱性、耐腐食性を図ること。これにより、例えば現場で天井の梁や工場内の壁面に対する取り付け作業の労力を減らすことができる。第２の目的は、リボンケーブル、電気コード等の給電部材をダクトの外壁面に配設しかつ塗膜乾燥機まで導入しなくても済むことである。これにより給電部材の耐久性、コスト面などの問題を解消することができると共に、作業ベイが外観上スッキリした感じになる。第３の目的は、トロリーが安定的にスムースに走行することである。これにより塗膜乾燥機を所望する位置にすばやくセッテイングすることができる。第４の目的は、複数本のダクトを簡単に連結することができることである。これにより、組み立て作業の能率化を図ることができる。
【０００５】
【課題を解決するための手段】
本発明の塗膜乾燥機用トロリー装置は、天井或いは壁面に固定的に設けられ、かつ、絶縁性の導体支持部材を内装するアルミニューム製ダクトと、このダクトの内部空間内に左右一対の走行車輪並びに左右一対の摺動車輪を介して設けられ、かつ、前記導体支持部材の複数個の導体にそれぞれ摺接する集電部材を備えたトロリーとから成る。
【０００６】
また、本発明の塗膜乾燥機用トロリー装置は、内部空間の上部左右にそれぞれ突出形成され、かつ、絶縁性の導体支持部材を支持する断面ボックス状支持部と、これらの断面ボックス状支持部の下方にそれぞれ突出形成された断面ボックス状の案内レール部とを有するアルミニューム製の複数本の大略角筒状ダクトと、前記導体支持部の複数個の導体にそれぞれ摺接する集電部材を備え、かつ、前記左右の案内レール部の上壁面を走行する左右一対の走行車輪並びに左右の案内レール部の対向側壁を摺動する左右一対の摺動車輪とを有するトロリーと、前記複数本の突合せ同士のダクトを一体的に連結することができるように前記断面ボックス状支持部及び断面ボックス状の案内レール部にそれぞれ嵌入する複数本の連結棒とから成る。
【０００７】
【発明の実施の形態】
図１乃至図５は、本発明の第１実施例を示す各説明図である。第１実施例の塗膜乾燥機用トロリー装置Ｘは、アルミニューム製ダクト１と、トロリー２と、塗膜乾燥機３とを備える。これらの構成要件を中心に説明する。
【０００８】
まず、環境部材について説明する。５は塗装工場（例えば自動車整備工場）の天井に設けられた横梁で、この横梁５の下面には、断面Ｉ型の吊板６が固定的に設けられている。吊板６は、アルミニュームで成形され、逆Ｔ字型の下端部は係止支持部６ａとしての機能を有する。また、吊板６は、吊板６はアルミニューム製ダクト１の「たわみ防止」の機能も有する。
【０００９】
本実施例では、図１で示すように、自動車整備工場の天井の横梁５に交差状に設けられているが、塗膜乾燥機用トロリー装置Ｘを、天井吊り下げ型ではなく、壁面吊り下げ型にする場合（つまり、横梁が不要の場合）には、吊板６或いはダクト１は左右或いは前後の壁面に取り付けられる。
【００１０】
次にダクト１について説明する。下面開口のダクト１は、吊板６を介して間接的または直接的に天井或いは壁面に固定的に設けられ、かつ、絶縁性の導体支持部材７を内装する。前記導体支持部材７は、電子機器を搬送するトロリーバスダクトの技術分野に於いて、公知の技術である（例えば特公昭６０−１３８４７号公報、特開平６−１０４０６５公報、特開平７−６９１０５号公報など）。
【００１１】
本実施例のダクト１は、これらの公知技術と同様に、複数枚の導体（例えば細長板状導体３枚）８を水平状態に支持した合成樹脂製の導体支持部材７を固定的に内装している。
【００１２】
また、ダクト１は、導体支持部材７の前記導体８にそれぞれ摺接する集電部材１０を備えたトロリー２を内装し、該トロリー２の左右一対の走行車輪１１は、ダクト１の案内レール部を転動する。そして、本実施例のトロリー２は、左右一対の走行車輪１１の他に、左右一対の摺動車輪１２を備えているために、ダクト１の左右案内レール部１３．１３の間（下部中央部）は、一端面から他端面に至るまで、ダクトの長手方向に連続する連続開口１４となっている。
【００１３】
換言すれば、ダクト１は、大略角筒状をなし、断面任意形状（円形、板状、への字状など）の導体８を支持する絶縁性の導体支持部材７を内部空間１５の上部に収容する。また、案内レール部１３．１３を走行するトロリー２を内装すると共に、その下部中央部には、トロリー２の走行方向に内部空間１５に連通するトロリー用連続開口１４が形成されている。
【００１４】
さらに、ダクト１の構造について作用と共に説明する。２１は角筒状の上壁中央部の上壁面に突出形成され、かつ、吊板６の係止支持部６ａと係合する係合板部である。この係合板部２１は、係止支持部６ａの左右に抱持状態に係合することができるように形成されている。
【００１５】
すなわち、係合板部２１の左右一対の突出片２１ａ．２１ａは、係止支持部６ａの左右の水平板部にそれぞれ係合するように断面横Ｌ型状に形成されている。係合板部２１は、トロリー２の走行方向に連続的に形成されている。
【００１６】
２２は内部空間１５の上部左右にそれぞれ突出形成され、かつ、「つらら」状の導体支持部材７を支持する断面ボックス状支持部で、これらの断面ボックス状支持部２２．２２は、対向側壁の上部寄りの部位に左右一対の水平突条２３．２３を有する。２４は前記上壁中央部の下壁面に所要間隔を有して突出形成された左右一対の垂直突条２４．２４である。導体支持部材７は、左右一対の水平突条２３．２３及び垂直突条２４．２４に安定的に支持されている。なお、垂直突条２４．２４と導体支持部材７の上面との間には、放熱効果を高めるために若干の間隙を設けても良い。
【００１７】
１３．１３は、前述したように、内部空間１５の下部左右にそれぞれ突出形成され、トロリー２の左右一対の走行車輪１１並びに左右一対の摺動車輪１２をそれぞれ案内する断面ボックス状の案内レール部である。左右の案内レール部１３．１３は、トロリー２が左右に複数個の摺動車輪１２を有することから、上方の断面ボックス状支持部２２．２２よりも小さめに突出形成されている。
【００１８】
次にトロリー２について説明する。トロリー２は、凹所状のフレーム３１を有すると共に、左右の案内レール部１３．１３の上面を滑動する少なくとも４個の走行車輪１１を軸支する台車本体３２と、この台車本体３２と塗膜乾燥機用取付け体３３との間に形成された左右の間隙部３４．３４内にそれぞれ配設され、かつ、前記左右の案内レール部の対向側壁をそれぞれ滑動する少なくとも４個の摺動車輪（サイド車輪）１２を軸支する塗膜乾燥機用取付け体３３とから成る。
【００１９】
しかして、前記断面凹所状のフレーム３１には水平車軸３５が横架され、該車軸３５の突出両端部に前述した走行車輪１１が、前後に合計４個設けられている。また、前記フレーム３１と断面Ｉ型（横向きＨ型）の取付け体３３に垂直車軸が架設され、左右の垂直車軸３６に前述した摺動車輪１２が前後に合計４個設けられている（図５参照）。
【００２０】
さらに、トロリー２は、導体支持部７の複数個の導体８にそれぞれ摺接する集電部材１０を備えているが、該集電部材１０は、図３で示すように、複数個のブラシ１０ａと、これらのブラシ１０ａの基端部をそれぞれ軸支する複数個の上方軸受け部材１０ｂと、この上方軸受け部材１０ｂに上端部が軸支された複数本のリンク１０ｃと、これらのリンク１０ｃの下端部をそれぞれ軸支するように水平車軸３５に設けられた複数個の下方軸受け部材１０ｄ等から構成されている。
【００２１】
次に塗膜乾燥機３について説明する。塗膜乾燥機用取付け体３３に吊り下げられる塗膜乾燥機３は、伸縮支柱３７と、この伸縮支柱３７の最下端部に回動自在に設けられ、かつ、整備工場に乗り入れた図示しない自動車の車体に短スペクトル赤外線或いは近赤外線を放射する加熱カセット３８とからなる。本実施例では、加熱カセット３８は、ハロゲンランプが採用されている。
【００２２】
【実施例】
図６及び図７は、第１実施例の主要部をそのまま含み、他の構成要件を加味した実施例である。この付加的構成要件の第２実施例は、大略角筒状ダクトの接続部分に関するものである。すなわち、第１実施例のダクト１は、内部空間１５の上部左右にそれぞれ突出形成され、かつ、絶縁性の導体支持部材７を支持する断面ボックス状支持部２２．２２と、これらの断面ボックス状支持部の下方にそれぞれ突出形成された断面ボックス状の案内レール部１３．１３とを有するが、前記左右一対の断面ボックス状支持部２２．２２及び断面ボックス状の案内レール部１３．１３にそれぞれ複数本の連結棒４１．４１を嵌入している。これらの連結棒４１は、突き合わせたダクト１．１同士の端面がピッタリトと接合するように、それぞれ内径寸法に適合するステンレス製の角材が用いられている。そして、連結対象のダクト１．１と複数本の連結棒４１は、固着具４３で適宜に固定される（例えばビス止め）。なお、前記連結棒４１及びダクト１．１には、適宜に貫通孔やオネジが形成されている（図７参照）。
【００２３】
上記のように構成すると、第１実施例の作用効果に加え、複数本のダクトをトロリーの走行方向に簡単に一連に連結することができるという効果を得ることができる。
【００２４】
【発明の効果】
以上の説明から明らかなように、本発明にあっては、次に列挙するような作用・効果がある。
（１）ダクトの材質及びその形態から、ダクトの軽量性、強靭性、放熱性、耐腐食性を図ることができる。これにより、例えば現場で天井の梁や工場内の壁面に対する取り付け作業の労力を減らすことができる。
（２）リボンケーブル、電気コード等の給電部材をダクトの外壁面に配設しかつ塗膜乾燥機まで導入しなくても済む。これにより給電部材の耐久性、コスト面などの問題を解消することができると共に、作業ベイが外観上スッキリした感じになる。
（３）走行車輪以外に摺動車輪を設けたので、トロリーが安定的にスムースに走行する。すなわち、左右の摺動車輪は、左右一対の案内レール部の対向側壁に摺接するので、トロリーにブレーキがかからず、互いに協働してトロリーを安定的にスムースに走行させる。これにより、作業員は塗膜乾燥機を所望する位置にすばやくセッテイングすることができる。
（４）請求項４に記載の発明は、ダクトの「たわみ防止」の効果がある。
（５）請求項６に記載の発明は、複数本のダクトを簡単に連結することができる。これにより、組み立て作業の能率化を図ることができる。
（６）請求項７に記載の発明は、ライン状、スポット状、面状の加熱ができるのみではなく、常温〜最高１２００℃まで、２ｍｍ〜３ｍｍ程度の集光も可能である。
【図面の簡単な説明】
図１乃至図５は本発明の第１実施例を示す各説明図。図６及び図７は、第１実施例に他の構成要件を加味した実施例。
【図１】実施形態の一例を示す概略説明図。
【図２】天井の梁に塗膜乾燥機用トロリー装置の主要部を吊り下げた概略断面説明図。
【図３】ダクトに内装されるトロリーの概略説明図。
【図４】吊板、ダクト、トロリーの関係を示す斜視図。
【図５】トロリーの側壁から見た説明図。
【図６】突き合わせたダクト１．１同士の連結構成を示す説明図。
【図７】図６の７−７線拡大断面図。
【符号の説明】
Ｘ…塗膜乾燥機用トロリー装置、１…ダクト、２…トロリー、３…塗膜乾燥機、５…横梁、６…吊板、７…導体支持部材、８…導体、１０…集電部材、１１…走行車輪、１２…摺動車輪、１３…案内レール部、１４…トロリー用連続開口、１５…内部空間、２１…係合板部、２２…断面ボックス状支持部、２３…水平突条、２４…垂直突条、３１…フレーム、３２…台車本体、３３…取付け体、３４…間隙部、３５…水平車軸、３６…垂直車軸、３７…伸縮支柱、３８…加熱カセット、４１…連結棒。
【図１】
2005001526.tif 000003
【図２】
2005001526.tif 000004
【図３】
2005001526.tif 000005
【図４】
2005001526.tif 000006
【図５】
2005001526.tif 000007
【図６】
2005001526.tif 000008
【図７】
2005001526.tif 000009